(57)【要約】【課題】入力された映像信号が、表示装置側で対応していないフォーマットである場合、そのズレを数値化して表示することができる表示装置を提供する。【解決手段】第１の判別手段６ａにより入力された映像信号のフォーマットが表示装置１で対応するフォーマットか否かを判別し、対応していない場合、第２の判別手段６ｂにより、入力された映像信号が強制的に表示できるかどうかを判別する。また第２の判別手段６ｂは同時に、入力された映像信号と同一のものであろうフォーマットをユーザに選択させ、該当フォーマットの規定値と、入力された映像信号とを比較して差分を算出することが可能であり、ＬＣＤパネル５にその差分をＯＳＤ表示することで、ユーザは入力された映像信号がフォーマットの定格値からどれくらいのズレが生じているのかを容易に把握することができる。【選択図】図１
2008107700.tif 000002
【特許請求の範囲】
【請求項１】
所定の画素数により構成され、映像を表示する表示部と、
外部機器から入力された映像信号を受信する受信部と、
入力された映像信号を検出し、該入力された映像信号から所定のパラメータを得る信号検出部と、
映像信号に対するフレームレート及び解像度の変換をする画像処理部と、
映像信号の複数のフォーマットを判別するためのフォーマット毎の設定値を記憶するための記憶手段と、
装置の動作制御を行う制御部と、
を備える表示装置において、
前記パラメータと、前記記憶手段に記憶される設定値とを比較することで、映像信号が何れのフォーマットであるかを判別する第１の判別手段と、
入力された映像信号が、前記第１の判別手段によってフォーマットを判別することができない場合、若しくは、フォーマットは判別できるが前記設定値に対してズレが生じている場合、入力された映像信号の拡大若しくは縮小を行うことで前記表示部へ強制的に表示することができるか否かを判別する第２の判別手段とを備えることを特徴とする表示装置。
【請求項２】
前記第２の判別手段により強制的に映像を表示することが可能と判断される場合は入力された映像信号を拡大若しくは縮小をして前記表示部へ表示し、強制的に映像の表示することが不可能と判断される場合は無信号状態とすることを特徴とする請求項１記載の表示装置。
【請求項３】
前記第１の判別手段により、前記パラメータが前記設定値の何れとも合致しないと判断された場合、ユーザが前記記憶手段に記憶される複数のフォーマットから、入力された映像信号に最も近似するフォーマットを選択することにより、前記第２の判別手段は、前記選択されたフォーマットの設定値と入力された映像信号のパラメータとを比較し、その差分を数値化し、該差分を前記表示部に表示することを特徴とする請求項１又は２記載の表示装置。
【請求項４】
前記第１の判別手段によりフォーマットは判別できるが、前記パラメータが前記設定値に対してズレが生じている場合、前記第２の判別手段は前記判別されたフォーマットの設定値と前記パラメータとを比較し、その差分を数値化し、該差分を前記表示部に表示することを特徴とする請求項１又は２記載の表示装置。
【請求項５】
前記パラメータとは、入力された映像信号の垂直周波数、水平周波数、クロック周波数及び極性であり、前記記憶手段に記憶される設定値は、各フォーマットにおいて規格される垂直周波数、水平周波数、クロック周波数及び極性であることを特徴とする請求項１から４の何れか１項記載の表示装置。
【発明の詳細な説明】
【技術分野】
【０００１】
本発明は、規格外の信号が入力される際、周波数等の各種パラメータが規格からどれくらい外れているかをユーザに報知することが可能な表示装置に関する。
【背景技術】
【０００２】
従来、映像信号を出力する電子機器において、表示装置及び映像出力装置の双方の高性能化により、僅か数年において多種多様な映像信号のフォーマットが提案され、実際に用いられている。この映像信号のフォーマットの多様化により、表示装置及び映像出力装置の双方が、異なるフォーマットに対応しているような場合がある。表示装置と映像出力装置の間で、異なるフォーマットが用いられてしまうと、表示装置では正しく映像を表示できない虞がある。このような場合において、複数のフォーマットを正しく識別し、映像を表示する方法や、対応するフォーマット以外の映像信号が入力された場合、映像を正しく表示できない原因をユーザによって把握し、切り分けをすることができるように、様々な方法が開示されている。
【０００３】
例えば特許文献１では、入力された映像信号の同期信号を検出し、これを無信号または周波数範囲外と判定した場合に、入力された映像信号とは非同期のクロック及び同期信号に切換え、液晶パネルに映像を表示することで、ユーザに異常状態を認識させる方法が開示されている。
【０００４】
また特許文献２では、フォーマット判別回路により、装置が対応する複数のフォーマットの映像信号から１つを特定し、当該フォーマットによって映像の表示をする方法が開示されている。
【０００５】
更に特許文献３では、異なる映像信号フォーマット間の変換により劣化した映像となる第１の映像信号と、第１の映像信号と同一のフォーマットであり、フォーマット変換を行っていない第２の映像信号とを識別し、映像がフォーマット変換されたものか否かをユーザが容易に判別可能とする方法が開示されている。
【０００６】
【特許文献１】特開２００１−９２４２５号公報
【特許文献２】特開２００１−２９２３５１号公報
【特許文献３】特開２００２−３７４５０２号公報
【発明の開示】
【発明が解決しようとする課題】
【０００７】
しかしながら、特許文献１の方法では、装置が対応するフォーマットを逸脱するような映像信号が入力される場合、異常画面等でユーザが入力される映像信号が装置に対応していないことは把握できるが、入力される映像信号に、装置が対応するフォーマットに対してどのくらいのズレ量が生じているのかを把握することは困難である。
【０００８】
また、特許文献２及び３の方法は、何れも入力信号は装置が対応するフォーマットであることが前提であり、装置が対応するフォーマット以外の映像信号の入力に備えるものではない。
【０００９】
本発明は上記課題を鑑みてなされたものであり、対応するフォーマットを逸脱した映像信号が入力された場合に、該映像信号において、対応するフォーマットからどのくらいのズレが生じているかをユーザが容易に把握することができる表示装置を提供することを目的とする。
【課題を解決するための手段】
【００１０】
請求項１に係る表示装置は、所定の画素数により構成され、映像を表示する表示部と、
外部機器から入力された映像信号を受信する受信部と、
入力された映像信号を検出し、該入力された映像信号から所定のパラメータを得る信号検出部と、
映像信号に対するフレームレート及び解像度の変換をする画像処理部と、
映像信号の複数のフォーマットを判別するためのフォーマット毎の設定値を記憶するための記憶手段と、
装置の動作制御を行う制御部と、
を備える表示装置において、
前記パラメータと、前記記憶手段に記憶される設定値とを比較することで、映像信号が何れのフォーマットであるかを判別する第１の判別手段と、
入力された映像信号が、前記第１の判別手段によってフォーマットを判別することができない場合、若しくは、フォーマットは判別できるが前記設定値に対してズレが生じている場合、入力された映像信号の拡大若しくは縮小を行うことで前記表示部へ強制的に表示することができるか否かを判別する第２の判別手段とを備えることを特徴とする。
【００１１】
請求項１の構成によれば、入力された映像信号のフォーマットを第１の判別手段により判別し、表示装置が対応するフォーマット以外の映像信号が入力された場合や、対応するフォーマットであっても各パラメータがフォーマットの規格に対してズレているような時に、第２の判別手段により入力された映像信号の拡大若しくは縮小を行うことで強制的に表示部に表示できるかを判別することができる。
【００１２】
請求項２の係る表示装置は、請求項１記載の表示装置において、前記第２の判別手段により強制的に映像を表示することが可能と判断される場合は入力された映像信号を拡大若しくは縮小をして前記表示部へ表示し、強制的に映像の表示することが不可能と判断される場合は無信号状態とすることを特徴とする。
【００１３】
請求項２の構成によれば、第２の判別手段により強制的に表示できると判別された映像信号を、表示部に表示することができ、表示できないと判別された場合は、表示を行わず、無信号状態とすることができる。
【００１４】
請求項３に係る表示装置は、請求項１又は２記載の表示装置において、前記第１の判別手段により、前記パラメータが前記設定値の何れとも合致しないと判断された場合、ユーザが前記記憶手段に記憶される複数のフォーマットから、入力された映像信号に最も近似するフォーマットを選択することにより、前記第２の判別手段は、前記選択されたフォーマットの設定値と入力された映像信号のパラメータとを比較し、その差分を数値化し、該差分を前記表示部に表示することを特徴とする。
【００１５】
請求項３の構成によれば、入力された映像信号が、表示装置が対応するフォーマットを逸脱するものであると第１の判別手段により判別された場合、ユーザが、記憶手段に記憶される複数のフォーマットの設定値から映像信号のパラメータと最も近しいものを選択することで、その設定値とパラメータとを比較して得られる差分を数値化して表示部に表示することができる。
【００１６】
請求項４に係る表示装置は、請求項１又は２記載の表示装置において、前記第１の判別手段によりフォーマットは判別できるが、前記パラメータが前記設定値に対してズレが生じている場合、前記第２の判別手段は前記判別されたフォーマットの設定値と前記パラメータとを比較し、その差分を数値化し、該差分を前記表示部に表示することを特徴とする。
【００１７】
請求項４の構成によれば、入力された映像信号のフォーマットが、表示装置が対応するフォーマットであると第１の判別手段により判別され、且つ対応フォーマットの設定値と映像信号のパラメータにズレが生じている場合、そのズレを数値化して表示部に表示することができる。
【００１８】
請求項５に係る表示装置は、請求項１から４の何れか１項記載の表示装置において、前記パラメータとは、入力された映像信号の垂直周波数、水平周波数、クロック周波数及び極性であり、前記記憶手段に記憶される設定値は、各フォーマットにおいて規格される垂直周波数、水平周波数、クロック周波数及び極性であることを特徴とする。
【００１９】
請求項５の構成によれば、入力された映像信号のパラメータとして、映像信号の波形の垂直周波数、水平周波数、クロック周波数及び極性を用いる。また設定値は、各フォーマットにおける、同じく垂直周波数、水平周波数、クロック周波数及び極性を用いる。
【発明の効果】
【００２０】
請求項１に係る表示装置は、所定の画素数により構成され、映像を表示する表示部と、
外部機器から入力された映像信号を受信する受信部と、
入力された映像信号を検出し、該入力された映像信号から所定のパラメータを得る信号検出部と、
映像信号に対するフレームレート及び解像度の変換をする画像処理部と、
映像信号の複数のフォーマットを判別するためのフォーマット毎の設定値を記憶するための記憶手段と、
装置の動作制御を行う制御部と、
を備える表示装置において、
前記パラメータと、前記記憶手段に記憶される設定値とを比較することで、映像信号が何れのフォーマットであるかを判別する第１の判別手段と、
入力された映像信号が、前記第１の判別手段によってフォーマットを判別することができない場合、若しくは、フォーマットは判別できるが前記設定値に対してズレが生じている場合、入力された映像信号の拡大若しくは縮小を行うことで前記表示部へ強制的に表示することができるか否かを判別する第２の判別手段とを備えるので、表示装置が対応するフォーマットを逸脱するような映像信号が入力された場合に、該映像信号に加工を施すことで強制的に表示することが可能かどうかを判別することができる。
【００２１】
請求項２の係る表示装置は、請求項１記載の表示装置において、前記第２の判別手段により強制的に映像を表示することが可能と判断される場合は入力された映像信号を拡大若しくは縮小をして前記表示部へ表示し、強制的に映像の表示することが不可能と判断される場合は無信号状態とするので、入力された映像信号が表示装置の対応するフォーマットを逸脱するものであっても、映像信号に含まれる映像の表示を試みることができる。
【００２２】
請求項３に係る表示装置は、請求項１又は２記載の表示装置において、前記第１の判別手段により、前記パラメータが前記設定値の何れとも合致しないと判断された場合、ユーザが前記記憶手段に記憶される複数のフォーマットから、入力された映像信号に最も近似するフォーマットを選択することにより、前記第２の判別手段は、前記選択されたフォーマットの設定値と入力された映像信号のパラメータとを比較し、その差分を数値化し、該差分を前記表示部に表示するので、ユーザは他装置から出力中の映像信号のパラメータが、表示装置が対応するフォーマットとの内最も近い物と、どのくらいズレが生じているかを数値により視認することができる。
【００２３】
請求項４に係る表示装置は、請求項１又は２記載の表示装置において、前記第１の判別手段によりフォーマットは判別できるが、前記パラメータが前記設定値に対してズレが生じている場合、前記第２の判別手段は前記判別されたフォーマットの設定値と前記パラメータとを比較し、その差分を数値化し、該差分を前記表示部に表示するので、ユーザは他装置から出力中の映像信号のパラメータが、該映像信号が示すフォーマットで規定されている設定値とどの程度のズレが生じているかを視認することができる。
【００２４】
請求項５に係る表示装置は、請求項１から４の何れか１項記載の表示装置において、前記パラメータとは、入力された映像信号の垂直周波数、水平周波数、クロック周波数及び極性であり、前記記憶手段に記憶される設定値は、各フォーマットにおいて規格される垂直周波数、水平周波数、クロック周波数及び極性であるので、映像信号の波形を構成する代表的な３つの要素を持って映像信号の判別を行うことができる。
【発明を実施するための最良の形態】
【００２５】
以下、本発明を実施するための最良の形態としての実施例を図１から図６を参照して説明する。もちろん、本発明は、その発明の趣旨に反さない範囲で、実施例において説明した以外のものに対しても容易に適用可能なことは説明を要するまでもない。
【００２６】
図１〜図６は、本発明の一実施例を示し、図１は、本実施例における表示装置の構成を示すブロック図である。図２及び図３は、表示装置の入力映像信号のフォーマット判別動作を示すフローチャート図である。図４〜図６は、本発明の動作を行った際のパラメータの表示例を示す説明図である。図７は、表示装置のパネル仕様を示す表である。
【００２７】
本実施例における表示装置の構成について、図１に基づいて説明する。１は外部装置から入力される映像を表示する表示装置である。２は入力された映像信号をアナログデータからデジタルデータへ変換するＡ／Ｄ変換部である。３は、映像信号の入力を検出すると共にデジタルデータに変換された映像信号の水平周波数、垂直周波数、クロック周波数及び極性のカウントを行う信号検出及び水平・垂直・クロック周波数及び極性カウンター部である。４は映像のフレームレート変換処理及び解像度変換処理を行う画像処理部である。５は映像を表示する表示部たるＬＣＤパネルである。６は信号検出及び水平・垂直・クロック周波数及び極性カウンター部３及び画像処理部４の制御を行う制御部たるマイコンである。マイコン６は、入力される映像信号のフォーマットを判別する第１の判別手段６ａと、映像信号を強制的に表示することができるかを判別する第２の判別手段６ｂを有する。７は記憶手段たるメモリである。表示装置１は図示しない外部機器たるパソコン１０と接続し、パソコン１０は映像信号を表示装置１に出力するものとする。
【００２８】
次に、第１の判別手段６ａの動作について説明する。映像信号は、信号検出及び水平・垂直・クロック周波数及び極性カウンター部３により、水平周波数、垂直周波数、極性といったパラメータとして検出され、第１の判別手段６ａは、これらのパラメータが、メモリ７に記憶される複数のフォーマットの定格値と比較して誤差±５％以内の範囲に収まっているかを判別する。この結果、メモリ７に記憶されている全てのフォーマットに対して、パラメータが誤差±５％の範囲内に収まっていなければ、フォーマット判定不可となり、入力された映像信号は表示装置１の対応フォーマットではない信号として判断する。これらの判断に基づき、マイコン６は画像処理部４を制御する。
【００２９】
次に第２の判別手段６ｂの動作について説明する。第２の判別手段６ｂは、水平Ｔｏｔａｌ期間の１ライン当たりのドット数を使用して入力される映像信号が正常に映像の表示が可能か否かの判別を行う。例えばＬＣＤパネル５をＷＸＧＡ(横１３６６ピクセル縦７６８ピクセル)とする。図７に示すような表示能力を有するＬＣＤパネル５に対して、水平周波数及び垂直周波数がズレた解像度ＸＧＡ（横１０２４ピクセル縦７６８ピクセル）の信号が入力された際に、入力された映像信号を強制的にＬＣＤパネル５に映像を映すため、解像度ＳＶＧＡ（横８００ピクセル縦６００ピクセル）の設定を後述のようにユーザが選択し画像処理部に設定した場合、垂直方向に６００ピクセルからＷＸＧＡの縦７６８ピクセルへ１．２８倍に拡大するため、映像信号の垂直Ｔｏｔａｌライン数は縦７６８ピクセル×１．２８＝９８３ピクセルとなり、垂直Ｔｏｔａｌライン数（Ｖｔｏｔａｌ）＝７８９ピクセル〜８２２ピクセルを超えてしまい、パネルのスペックを逸脱してしまうため、ＬＣＤパネル５は映像を表示することができない。画像処理部４はマイコン６に対してどれだけの水平Ｔｏｔａｌ期間でＬＣＤパネル５へ出力しているかを通知することができるので、入力された映像信号に対して上記のような算出処理を行うことで、第２の判別手段６ｂは映像信号がＬＣＤパネル５の表示能力を超えているか否かを判別し、この判別に基づいてマイコン６は画像処理部４の制御を行うことができる。
【００３０】
次に、表示装置の映像信号のフォーマット判別動作について、図２及び図３のフローチャート及び図４〜図６に示すＯＳＤ表示を示す説明図に基づいて説明する。尚、図４〜図６は、あくまでＯＳＤ表示の例であり、適宜表示情報の選別や追加・変更等を行ってよいものである。まずＡ／Ｄ変換部２を通じて変換された映像信号の入力を信号検出及び水平・垂直・クロック周波数及び極性カウンター部３により検出する（Ｓ１１）。映像信号が検出された場合、水平周波数、垂直周波数、クロック周波数及び極性を測定する（Ｓ１２）。映像信号が検出されない場合はＮｏ  Ｓｉｇｎａｌ（無信号）の表示を行う（Ｓ１７）。入力された映像信号のフォーマットを判別するために、メモリ７を参照し、各フォーマットで規定される水平周波数、垂直周波数、クロック周波数及び極性に関するデータを読み出す（Ｓ１３）。メモリ７に記憶される複数のフォーマットの内、入力された映像信号と合致するものがあるかを第１の判別手段６ａにより判別し（Ｓ１４）、フォーマットが判別できた場合、該当フォーマットの規定値に対する映像信号の各種パラメータのズレを、自動補正機能により正常な範囲へ引き込めるかどうかを第２の判別手段６ｂにより行う（Ｓ１５）。自動補正機能とは、入力された映像信号のズレを補正するための従来からある技術であり、例えば映像信号のＣＬＯＣＫ周波数が前後することによる表示映像の拡縮や、水平周波数や垂直周波数の極性が逆である場合の、映像の上下左右方向のズレを防止するための従来から表示装置において使用される機能のことである。正常な範囲に引き込める場合は映像信号をＬＣＤパネル５に表示すると共に、映像信号のフォーマットと、映像信号の水平周波数、垂直周波数及び極性をＯＳＤ表示する（Ｓ１６）。このとき、ＬＣＤパネル５には図４（ａ）のように、左側には入力された映像信号が示すフォーマット、水平周波数、垂直周波数、クロック周波数及び極性が表示し、右側には入力された映像信号が示すフォーマットにおける定格値を表示する。自動補正機能で正常な範囲へ引き込めない場合、自動補正機能による正常に引き込める範囲、若しくは入力された映像信号に最も近似するフォーマットから、どのくらい外れているのか、差分を算出する（Ｓ１８）。差分の算出方法は別途後述する。映像信号を補正せず、ズレたままＬＣＤパネル５に表示し、ステップ１８にて算出した差分をＬＣＤパネル５にＯＳＤ表示し、ユーザに表示した差分に基づいて映像信号送出側機器の微調整を促す（Ｓ１９）。例えばフォーマットの定格値として極性がポジティブ（Ｐｏｓｉｔｉｖｅ）に対して、入力された映像信号の極性がネガティブ（Ｎｅｇａｔｉｖｅ）だった場合において、ＯＳＤ表示は図４（ｂ）に示すように、左側に入力された映像信号が示すフォーマット、水平周波数、垂直周波数、クロック周波数及び極性が表示され、右側には入力された映像信号が示すフォーマットにおける定格値を表示する。入力された映像信号における、フォーマットの定格値と異なるパラメータをハイライト（強調表示）し、画面下部に定格値と異なるパラメータが存在する旨を示すメッセージを表示する。
【００３１】
次に、ステップＳ１４にて、第１の判別手段が、入力された映像信号のフォーマットを判別できないケースを説明する。表示装置１が対応するフォーマットではない、規格外の映像信号である場合、この映像信号強制的に表示可能かどうかを第２の判別手段６ｂにより判別する（Ｓ２０）。強制的に表示できると判別される場合、ＬＣＤパネル５に映像の強制表示を行い、図５（ａ）に示すように、入力された映像信号のフォーマットが判別できない旨を示すメッセージを映像に重畳させてＯＳＤ表示すると共に、現在入力されている映像信号のフォーマットを手動選択するか否かをユーザに問う画面を表示する。映像信号のフォーマットの手動選択を行うとした場合、図５（ｂ）に示すような画面を表示し、映像信号のフォーマットをユーザに選択させる（Ｓ２１）。マイコン６は、選択されたフォーマットの定格値と、入力された映像信号のパラメータとを比較し、差分を算出する（Ｓ２２）。差分の算出方法については後述する。差分の算出を終えたら、ＯＳＤ表示により、図６に示すように、入力された映像信号における水平周波数、垂直周波数、クロック周波数及び極性と共にユーザが選択したフォーマットの定格値を表示し、それらの差分を表示する（Ｓ２３）。
【００３２】
ステップＳ２０にて強制表示ができないと判別される場合は、ＬＣＤパネル５を無信号状態とし、図５（ｃ）に示すように、入力された映像信号のフォーマットが判別できない旨を示すメッセージを無信号状態のＬＳＣパネル５にＯＳＤ表示すると共に、現在入力されている映像信号のフォーマットを手動選択するか否かをユーザに問う画面を表示する。映像信号のフォーマットの手動選択を行うとした場合、図５（ｂ）に示すような画面を表示し、映像信号のフォーマットをユーザに選択させる（Ｓ２４）。マイコン６は、選択されたフォーマットの定格値と、入力された映像信号のパラメータとを比較し、差分を算出する（Ｓ２５）。差分の算出を終えたら、ＯＳＤ表示により、図６に示すように、入力された映像信号における水平周波数、垂直周波数、クロック周波数及び極性と共にユーザが選択したフォーマットの定格値を表示し、それらの差分を表示する（Ｓ２６）。
【００３３】
次に、映像信号の各種パラメータと、ユーザにより選択されたフォーマットの定格値との差分の算出方法について説明する。入力された映像信号の各種パラメータは、上述の通り信号検出及び水平・垂直・クロック周波数及び極性カウンター部３により数値化され、マイコン６に一時的に記憶される。この時、マイコン６は、数値化された映像信号のパラメータに基づき映像信号のフォーマットを判別する。映像信号のフォーマットが判別できる場合は該当フォーマットが示すパラメータの定格値を取得する。判別できない場合は、ユーザに何れのフォーマットが入力されているのかを確認及び選択をさせ、選択されたフォーマットが示すパラメータの定格値を取得する。このようにして得られたパラメータの定格値と映像信号のパラメータを比較し、差分を算出する。
【００３４】
以上のような表示装置１の構成によれば、表示装置１の対応するフォーマットを逸脱したフォーマットによる映像信号が入力された場合、入力された映像信号と表示装置の対応するフォーマットの間に、どのくらいの差異が生じているかを、ユーザが把握することができ、パソコン１０等の映像信号を出力する外部機器の調整を行うことが容易となる。また、映像が表示できない場合においても、表示装置１とパソコン１０の何れが原因かを容易に把握することができ、故障機器の特定を迅速に行うことができる。
【００３５】
以上、本発明の実施例について詳述したが、本発明は前記実施例に限定されるものではなく、本発明の要旨の範囲内で種々の変形実施が可能である。例えば、第１の判別手段６ａ及び第２の判別手段６ｂを、マイコン６が有する機能として説明したが、これに限定せずに他の独立した電子部品を用いてこれらを構成したとしても何ら問題は無い。
【図面の簡単な説明】
【００３６】
【図１】本発明の実施例における、表示装置の構成を示すブロック図である。
【図２】同上、映像信号のフォーマットを判別する際の表示装置の動作を示すフローチャート図である。
【図３】同上、映像信号のフォーマットを判別する際の表示装置の動作を示すフローチャート図である。
【図４】同上、映像信号のフォーマットを判別した際のＯＳＤの表示例を示す説明図であり、（ａ）は自動補正後、正しく映像の表示が行える場合を、（ｂ）は自動補正後、正しく映像の表示が行えなかった場合を示している。
【図５】同上、映像信号のフォーマットを判別した際のＯＳＤの表示例を示す説明図であり、（ａ）は強制的に画面の表示が行えると判断された場合の映像信号の情報表示画面を、（ｂ）は強制的に表示が可能と判別された後に表示される入力信号のフォーマット選択画面を、（ｃ）は強制的に画面の表示が行えないと判断された場合の表示画面を、（ｄ）は強制的に表示することが不可能と判別された後に表示される入力信号のフォーマット選択画面を、それぞれ示している。
【図６】同上、映像信号の水平周波数、垂直周波数、クロック周波数及び極性に対して、ユーザが選択したフォーマットの定格値である水平周波数、垂直周波数、クロック周波数及び極性を比較するＯＳＤ表示例を示す説明図である。
【図７】同上、表示装置のパネル仕様を示す表である。
【符号の説明】
【００３７】
１    表示装置
３    信号検出及び水平・垂直・クロック周波数及び極性カウンター部（信号検出部）
４    画像処理部
５    ＬＣＤパネル（表示部）
６    マイコン（制御部）
６ａ  第１の判別手段
６ｂ  第２の判別手段
７    メモリ（記憶手段）
【図１】
2008107700.tif 000003
【図２】
2008107700.tif 000004
【図３】
2008107700.tif 000005
【図４】
2008107700.tif 000006
【図５】
2008107700.tif 000007
【図６】
2008107700.tif 000008
【図７】
2008107700.tif 000009